(57)【要約】【課題】外刃の厚みを薄くしても良好な起毛作用を有する電気かみそりを提供する。【解決手段】使用者が把持する電気かみそり本体３と、該電気かみそり本体３に設けられ、環状に形成された外刃１３および内刃２９を有するカッティングユニット７と、該カッティングユニット７の外刃１３に設けられ、前記外刃１３の表面が肌面上を移動する際に、体毛に当接して体毛を起立させる起毛作用を有する起毛部３１，３３と、を備えている。前記外刃１３には、径方向に延びる外刃桟２７が周方向に沿って複数配置されており、この外刃桟２７を平面視したときに、外刃桟２７のうちの内刃２９に摺接しない非接触部である径方向内側部Ｐと径方向外側部Ｒに前記起毛部３１，３３を設けている。【選択図】図３
2011200493.tif 000002
【特許請求の範囲】
【請求項１】
使用者が把持する電気かみそり本体と、該電気かみそり本体に設けられ、環状に形成された外刃および内刃を有するカッティングユニットと、該カッティングユニットの外刃に設けられ、前記外刃の表面が肌面上を移動する際に、体毛に当接して体毛を起立させる起毛作用を有する起毛部と、を備え、前記内刃は、外刃の内方に配置されて外刃に摺接しながら回転するように構成され、前記起毛部によって起立された体毛を前記外刃と内刃で切断する電気かみそりであって、
前記外刃には、径方向に延びる外刃桟が周方向に沿って複数配置され、
この外刃を平面視したときに、外刃のうちの内刃に摺接しない非接触部に前記起毛部を設けたことを特徴とする電気かみそり。
【請求項２】
前記外刃を構成する外刃桟の径方向外側に前記起毛部を設けたことを特徴とする請求項１に記載の電気かみそり。
【請求項３】
前記外刃を構成する外刃桟の径方向内側に前記起毛部を設けたことを特徴とする請求項１に記載の電気かみそり。
【請求項４】
前記外刃を構成する外刃桟の径方向外側の端部から内方に向けて延びる脚部を設け、該脚部の径方向外側に前記起毛部を形成したことを特徴とする請求項１に記載の電気かみそり。
【請求項５】
前記起毛部の曲げ剛性は、体毛の曲げ剛性よりも高いことを特徴とする請求項１〜４のいずれか１項に記載の電気かみそり。
【請求項６】
前記環状のカッティングユニットの内周側に内周部材を配置し、これらのカッティングユニットと内周部材とをそれぞれ別々のバネ部材によって弾性支持すると共に、カッティングユニットを支持するバネ部材のバネ定数を、内周部材を支持するバネ部材のバネ定数よりも小さく設定したことを特徴とする請求項１〜５のいずれか１項に記載の電気かみそり。
【請求項７】
前記起毛部を有する外刃と起毛部を有しない外刃とを周方向に沿って交互に配置して構成したことを特徴とする請求項１〜６のいずれか１項に記載の電気かみそり。
【発明の詳細な説明】
【技術分野】
【０００１】
本発明は、電気かみそりに関する。更に詳しくは、肌面に対する角度が小さい体毛を起こす起毛作用を有する起毛部を設けた電気かみそりに関する。
【背景技術】
【０００２】
従来から、体毛を剃る種々の電気かみそりが開発されている。ここで、体毛の延びている方向と肌面とのなす角度は起毛角と呼ばれているが、起毛角が大きい（例えば、４５°〜６０°）体毛は剃りやすいが、起毛角が小さい（例えば、３０°以下）体毛は剃りにくいという問題がある。そこで、この起毛角が小さい体毛を起こす起毛部を設けた電気かみそりが開発されている（例えば、特許文献１参照）。
【先行技術文献】
【特許文献】
【０００３】
【特許文献１】特許第３０８３５４８号公報
【発明の概要】
【発明が解決しようとする課題】
【０００４】
ところで、前記特許文献１では、径方向に延びる外刃桟の径方向全体に亘って起毛部を形成しているため、外刃の厚みが厚くなり、電気かみそり全体が大型化するという問題があった。
【０００５】
そこで、本発明は、外刃の厚みを薄くしても良好な起毛作用を有する電気かみそりを提供することを目的とする。
【課題を解決するための手段】
【０００６】
前記課題を解決するため、本発明に係る電気かみそりは、使用者が把持する電気かみそり本体と、該電気かみそり本体に設けられ、環状に形成された外刃および内刃を有するカッティングユニットと、該カッティングユニットの外刃に設けられ、前記外刃の表面が肌面上を移動する際に、体毛に当接して体毛を起立させる起毛作用を有する起毛部と、を備え、前記内刃は、外刃の内方に配置されて外刃に摺接しながら回転するように構成され、前記起毛部によって起立された体毛を前記外刃と内刃で切断する電気かみそりであって、前記外刃には、径方向に延びる外刃桟が周方向に沿って複数配置され、この外刃を平面視したときに、外刃のうちの内刃に摺接しない非接触部に前記起毛部を設けたことを特徴とする。
【発明の効果】
【０００７】
本発明に係る電気かみそりによれば、外刃の径方向全体ではなく、外刃のうちの内刃に摺接しない非接触部に前記起毛部を設けたため、外刃の厚さを薄くすることができ、ひいては、電気かみそり全体をコンパクトに構成することができる。
【０００８】
即ち、外刃のうち、内刃が摺接する摺動部において体毛を切断すると共に、内刃に摺接しない非接触部に起毛部を設けて体毛を起毛させるため、外刃に、体毛の切断作用と体毛の起毛作用とを同時に持たせることができ、かつ、外刃全体の厚みを薄く形成することができる。これによって、電気かみそり全体のコンパクト化を図ることができる。
【図面の簡単な説明】
【０００９】
【図１】本発明の第１実施形態による電気かみそりを示す斜視図である。
【図２】図１における外刃を示す斜視図である。
【図３】本発明の第１実施形態による外刃と内刃を拡大した斜視図である。
【図４】図３のＡ−Ａ線による断面図である。
【図５】図３のＢ−Ｂ線による断面図である。
【図６】図３を上方から見た平面図である。
【図７】本発明の第２実施形態による外刃と内刃を示す斜視図である。
【図８】図７のＣ−Ｃ線による断面図である。
【図９】本発明の第３実施形態による外刃と内刃を示す斜視図である。
【図１０】図９のＤ−Ｄ線による断面図である。
【図１１】本発明の第４実施形態による外刃と内刃を示す斜視図である。
【図１２】図１１のＥ−Ｅ線による断面図である。
【図１３】本発明の第５実施形態による外刃、内刃および内周部材を示す斜視図である。
【図１４】図１３のＦ−Ｆ線による断面図である。
【図１５】本発明の第６実施形態による外刃を示す斜視図である。
【発明を実施するための形態】
【００１０】
以下、本発明を適用した具体的な実施の形態について図面を参照しながら詳細に説明する。なお、以下の各実施形態では、体毛の一例としての髭（ヒゲ）を剃る電気かみそりについて説明する。
【００１１】
[第１実施形態]
まず、本発明の第１実施形態について説明する。図１は本発明の第１実施形態による電気かみそりを示す斜視図、図２は図１における外刃を示す斜視図である。図３は本発明の第１実施形態による外刃と内刃を拡大した斜視図、図４は図３のＡ−Ａ線による断面図、図５は図３のＢ−Ｂ線による断面図である。また、図６は図３を上方から見た平面図である。
【００１２】
図１に示すように、本実施形態による電気かみそり１は、使用者が把持する電気かみそり本体３と、該電気かみそり本体３の上端に配設された３箇所の切断部５と、を備えている。前記電気かみそり本体３の前面には、電気かみそり１を作動および停止させる操作スイッチ６が設けられており、上端部８は前方に屈曲している。この上端部８に、カッティングユニット７と内周部材１１とを有する切断部５が設けられている。また、カッティングユニット７は円環状に形成されており、電気かみそり本体３に固定された外刃１３と、該外刃１３の内方に配置され、外刃１３の裏面に摺接しながら回転する内刃２９とを有する。即ち、外刃１３および内刃２９の双方が円環状に形成されている。
【００１３】
図２および図３に示すように、前記外刃１３は、平面視で円環状に形成された支持台２１と、該支持台２１の径方向内側と径方向外側とからそれぞれ上方（表面側）に向けて延びる一対の脚部２３，２５と、これら一対の脚部２３，２５の上端同士を連結して径方向に沿って延びる外刃桟２７とから一体に形成されている。即ち、前記脚部２３，２５は、外刃桟２７の径方向両端部から内方（表面側の反対）に向けて延びている。前記内刃２９は、外刃桟２７の裏面に摺接しながら、支持台２１に沿って周方向に移動する。
【００１４】
ここで、図６に示すように、外刃桟２７を平面視した場合、外刃桟２７は、径方向内側に配置されて内刃２９に摺接しない非接触部である径方向内側部Ｐと、径方向外側に配置されて内刃２９に摺接しない非接触部である径方向外側部Ｒと、これら径方向内側部Ｐおよび径方向外側部Ｒの間に配置されると共に内刃２９に摺接する接触部である径方向中間部Ｑと、から一体に形成されている。
【００１５】
そして、本実施形態では、外刃桟２７のうち、非接触部である径方向内側部Ｐと径方向外側部Ｒに起毛部３１，３３を形成している。具体的には、図３，６に示すように、径方向内側部Ｐと径方向外側部Ｒにおける周方向両側に起毛部３１，３３を突出させて形成している。図４に示すように、径方向中間部Ｑの外刃桟２７の裏面は、内刃２９の上面に摺接しているが、この部位の外刃桟２７には起毛部は形成されていない。一方、図５に示すように、径方向外側部Ｒには周方向両側に突出する起毛部３１が形成されており、径方向外側部Ｒの周方向長さは、径方向中間部Ｑの周方向長さよりも長く形成されている。さらに、径方向外側部Ｒの外刃桟２７の裏面は、内刃２９の上面よりも高い位置に配置されているため、内刃２９は外刃桟２７に摺接していない。なお、前記起毛部３１，３３は、外刃１３の表面が肌面上を移動する際に、髭に当接して髭を起立させる起毛作用を有する。このように、起毛部３１，３３によって起立した髭を外刃１３と内刃２９とで切断する。また、起毛部３１，３３を形成する材料としては、ステンレス、銅（Ｃｕ）、アルミニウム（Ａｌ）、ニッケルークロムの合金、チタン（Ｔｉ）などを好適に用いることができる。
【００１６】
以下に、本実施形態による作用効果を説明する。
【００１７】
本実施形態による電気かみそり１は、使用者が把持する電気かみそり本体３と、該電気かみそり本体３に設けられ、環状に形成された外刃１３および内刃２９を有するカッティングユニット７と、該カッティングユニット７の外刃１３に設けられ、前記外刃１３の表面が肌面上を移動する際に、体毛に当接して体毛を起立させる起毛作用を有する起毛部３１，３３と、を備えている。前記外刃１３は、径方向に延びる外刃桟２７が周方向に沿って複数配置されて構成され、この外刃桟２７を平面視したときに、外刃桟２７のうちの内刃２９に摺接しない非接触部である径方向内側部Ｐと径方向外側部Ｒに前記起毛部３１，３３を設けている。
【００１８】
このように、外刃桟２７のうちの内刃２９に摺接しない非接触部である径方向内側部Ｐと径方向外側部Ｒに前記起毛部３１，３３を設けているため、外刃１３の厚さを薄く形成することができる。即ち、外刃桟２７のうちの内刃２９に摺接する接触部である径方向中間部Ｑに起毛部を設けると、この径方向中間部Ｑに、内刃２９と外刃桟２７との摺接による髭の切断作用と、起毛部による髭の起毛作用との２つの作用を持たせるため、径方向中間部Ｑの厚さが厚くなり、外刃１３全体が厚くなるという問題がある。しかし、本実施形態のように、径方向中間部Ｑに髭の切断作用を持たせ、径方向内側部Ｐと径方向外側部Ｒに起毛作用を持たせるように区分すると、外刃桟２７の厚さが局所的に厚くならずに外刃１３全体の厚さを薄く形成することができる。また、起毛部３１，３３が薄くなるため、起毛部３１，３３の先端が髭の根本部に当たり、髭を確実に起立させる効果が向上する。
【００１９】
また、前記起毛部３１，３３の曲げ剛性は、体毛である髭の曲げ剛性よりも高いため、いわゆる硬い髭であっても起毛部３１，３３によって確実に起毛させることができる。
【００２０】
[第２実施形態]
次いで、本発明の第２実施形態について説明する。なお、前述した第１実施形態と同じ構造の部位には同一符号を付して、その説明を省略する。
【００２１】
図７は本発明の第２実施形態による外刃と内刃を示す斜視図、および、図８は図７のＣ−Ｃ線による断面図である。
【００２２】
第１実施形態と同様に、外刃桟１２７は径方向に沿って延びており、径方向外側端と径方向内側端とから下方（内側）に向けて脚部２３，２５が一対に延びている。本実施形態では、外刃桟１２７の径方向外側に起毛部１３１を一体形成している。具体的には、図８に示すように、外刃桟１２７の径方向外側端部を径方向外側に向けて断面三角形に突出して起毛部１３１を形成している。
【００２３】
以下に、本実施形態による作用効果を説明する。
【００２４】
本実施形態では、外刃桟１２７の径方向外側に起毛部１３１を形成したため、径方向内側に配置した場合よりも、電気かみそり１を移動させたときの起毛部１３１が作用する範囲が大きくなるという効果を有する。
【００２５】
[第３実施形態]
次いで、本発明の第３実施形態について説明する。なお、前述した第１および第２実施形態と同じ構造の部位には同一符号を付して、その説明を省略する。
【００２６】
図９は本発明の第３実施形態による外刃と内刃を示す斜視図、図１０は図９のＤ−Ｄ線による断面図である。
【００２７】
第１および第２実施形態と同様に、外刃桟２２７は径方向に沿って延びており、径方向外側端と径方向内側端とから下方（内側）に向けて脚部２５，２３が一対に延びている。本実施形態では、外刃桟２２７の径方向内側に起毛部２３１を一体形成している。具体的には、図１０に示すように、外刃桟２２７の径方向内側端部を径方向内側に向けて断面三角形に突出させた起毛部２３１を形成している。
【００２８】
以下に、本実施形態による作用効果を説明する。
【００２９】
本実施形態では、外刃桟２２７の径方向内側に起毛部２３１を形成したため、径方向外側に配置した場合よりも、電気かみそり１を移動させたときに起毛部２３１が肌面に押し当てられる刺激が緩和されるという効果を有する。
【００３０】
[第４実施形態]
次いで、本発明の第４実施形態について説明する。なお、前述した第１〜第３実施形態と同じ構造の部位には同一符号を付して、その説明を省略する。
【００３１】
図１１は本発明の第４実施形態による外刃と内刃を示す斜視図、図１２は図１１のＥ−Ｅ線による断面図である。
【００３２】
前述した第１〜第３実施形態では、外刃桟に起毛部を形成したが、本実施形態では、脚部１２５に起毛部を形成している。
【００３３】
即ち、前述したように、前記外刃１３は、支持台２１の径方向内側と径方向外側とからそれぞれ上方（表面側）に向けて延びる一対の脚部２３，１２５と、これら一対の脚部２３，１２５の上端同士を連結する外刃桟３３７とから一体に形成されている。そして、径方向外側の脚部１２５における高さ方向中間部から径方向外側に向けて起毛部３３１が突出している。なお、起毛部３３１の上端は外刃桟の上端と同じ高さに配置されており、起毛部３３１は斜め上方に向けて延びている。
【００３４】
以下に、本実施形態による作用効果を説明する。
【００３５】
本実施形態では、径方向外側の脚部１２５に起毛部３３１を形成しているため、外刃桟３３７の高さ方向の厚さを薄く形成することができる。また、電気かみそり１を移動させたときに起毛部３３１が肌面に押し当てられる刺激が更に緩和されるという効果を有する。
【００３６】
[第５実施形態]
次いで、本発明の第５実施形態について説明する。なお、前述した第１〜第４実施形態と同じ構造の部位には同一符号を付して、その説明を省略する。
【００３７】
図１３は本発明の第５実施形態による外刃、内刃および内周部材を示す斜視図、図１４は図１３のＦ−Ｆ線による断面図である。なお、図１４は、バネを模式的に記載した概略図である。
【００３８】
これらの図１３，１４に示すように、切断部４０５に設けられた円環状のカッティングユニット４０７の内周側には、円盤状の内周部材１１が配設されている。カッティングユニット４０７の外周側は、円筒状のフランジ４００を有するハウジング４０１によって囲まれている。カッティングユニット４０７は、第１のバネ部材４０９を介してハウジング４０１の凹部底面４０２に弾性支持されており、内周部材１１は、第２のバネ部材４１０を介してハウジング４０１の凹部底面４０２に弾性支持されている。ここで、第２のバネ部材４１０のバネ定数は、第１のバネ部材４０９のバネ定数よりも高く設定されている。
【００３９】
以下に、本実施形態による作用効果を説明する。
【００４０】
本実施形態では、第２のバネ部材４１０のバネ定数は、第１のバネ部材４０９のバネ定数よりも高く設定されているため、使用者が切断部４０５を肌面に過度に強く押し付けた場合に、内周部材１１が突っ張って肌面に当たり、切断部４０５が肌面に強く当たらない。従って、起毛部を設けた外刃が肌面に与える刺激が過度にならないように抑制することができる。なお、第１のバネ部材４０９と第２のバネ部材４１０のバネ定数を同じにして、第２のバネ部材４１０の長さを第１のバネ部材４０９よりも短くしても同様の効果を得ることができる。
【００４１】
[第６実施形態]
次いで、本発明の第６実施形態について説明する。なお、前述した第１〜第５実施形態と同じ構造の部位には同一符号を付して、その説明を省略する。
【００４２】
図１５は、本発明の第６実施形態による外刃を示す斜視図である
本実施形態では、前記外刃５１３を、起毛部５３１を有する外刃桟５２７と起毛部を有しない外毛桟５２８とを周方向に沿って交互に配置して構成している。なお、図１５では全ての外刃を記載せずに一部のみを記載しているが、図示しない部位においても、起毛部の有る外刃５２７と起毛部のない外刃５２８とを交互に配置している。
【００４３】
以下に、本実施形態による作用効果を説明する。
【００４４】
本実施形態では、起毛部５３１を有する外刃桟５２７と起毛部を有しない外毛桟５２８とを周方向に沿って交互に配置して構成しているため、起毛部５３１が肌面に押し当てられる際の刺激が更に緩和されるという効果を有する。
【符号の説明】
【００４５】
７，４０７…カッティングユニット
１１…内周部材
１３，５１３，５２７，５２８…外刃
２３，２５，１２５…脚部
２９…内刃
３１，３３，１３１，２３１，３３１，５３１…起毛部
４０９…第１のバネ部材
４１０…第２のバネ部材
【図１】
2011200493.tif 000003
【図２】
2011200493.tif 000004
【図３】
2011200493.tif 000005
【図４】
2011200493.tif 000006
【図５】
2011200493.tif 000007
【図６】
2011200493.tif 000008
【図７】
2011200493.tif 000009
【図８】
2011200493.tif 000010
【図９】
2011200493.tif 000011
【図１０】
2011200493.tif 000012
【図１１】
2011200493.tif 000013
【図１２】
2011200493.tif 000014
【図１３】
2011200493.tif 000015
【図１４】
2011200493.tif 000016
【図１５】
2011200493.tif 000017